(57)【要約】      （修正有）【課題】メタリックカラーの鎖状編成紐体を商品の装飾に利用し易いような装飾性テープとすることにより衣服、鞄、袋もの、履物、縫着に適する素材であればいかなる商品にでも適用し得るようにした、メタリック鎖紐を端出してなる装飾性テープを提供する。【解決手段】縫製可能な長手状テープ１の片側辺にメタリックヤーンからなる鎖状編成紐体２を縫着し、前記鎖状編成紐体の端部を端出７してなるメタリック鎖紐を端出してなる装飾性テープ３とした。【選択図】図２
0003159197.tif 000002
【実用新案登録請求の範囲】
【請求項１】
縫製可能な長手状テープの片側辺にメタリックヤーンからなる鎖状編成紐体を縫着し、前記鎖状編成紐体の端部を前記テープの端出してなることを特徴とするメタリック鎖紐を端出してなる装飾性テープ。
【請求項２】
前記鎖状編成紐体は、鎖網目がリング状に長手状に連続する紐体である請求項１記載のメタリック鎖紐を端出してなる装飾性テープ。
【請求項３】
縫製可能な長手状テープは布製テープである請求項１記載のメタリック鎖紐を端出してなる装飾性テープ。
【請求項４】
メタリックヤーンからなる鎖状編成紐体は銀色又は、金色である請求項１記載のメタリック鎖紐を端出してなる装飾性テープ。
【請求項５】
テープは一層である請求項１記載のメタリック鎖紐を端出してなる装飾性テープ。
【請求項６】
テープは多層である請求項１記載のメタリック鎖紐を端出してなる装飾性テープ。
【考案の詳細な説明】
【技術分野】
【０００１】この考案は、メタリック糸製の多数本の鎖紐を素材として、あたかも毛糸のように襟巻きとするようなものは従来からあったが、あくまでもメタリック糸製の鎖紐の素材はそのままであったたことから、その利用分野が限定され、衣服、鞄、袋もの、履物等の装飾品としての利用はほとんど考えられていない。その理由は、メタリック糸で編成した鎖紐をどのうよに利用したらいいのか見当がつかないところに起因していた。
そこで、本考案は、前記のような商品の装飾に利用し易いような装飾性テープとすることにより衣服、鞄、袋もの、履物、縫着に適する素材であれば他のいかなる商品にでも適用し得るようにした。
【技術の背景】
【０００２】近時、主として若者の間で金属製鎖、その他の金属製装飾品をかばん、被服等にそのままにアクセサリーとして使用する傾向がでてきたが、このような金属製の装飾品を被服に直接一体化された商品は、後日洗濯時で他の洗濯物を損傷したりすることがある。又、航空機等に搭乗したりする場合に搭乗前のチエックに警報ブザーが鳴ったりすることがあることから金属製アクセサリーを衣類、鞄、袋もの、履物等に使用することは好ましくなかった。
【０００３】
【先行技術文献】
【特許文献１】実開平６−２０４８７
【特許文献２】実開平１−１７８８０２
【特許文献３】特開２００２−１６１４６０
【考案の解決しようとする課題】
【０００４】特許文献１では、メタリックヤーンをスポーツ衣料に適用した例であるが、この文献では、メタリックヤーンを衣料素材そのものにメタリックヤーンを直接的に編成すること二より、スポーツ衣料としての金属的光沢を出し、且つスポーツ衣料としての強度を具備させる衣料素材である。
【０００５】特許文献２では、鎖紐を髪飾り用としてヘヤークリップの両端部から１乃至複数条の鎖紐を懸吊するようにしてあるが、このような鎖紐がメタリック糸製の鎖紐素材としても、このような使用用途であれば使用数量が極めて限定される。
【０００６】特許文献３では、テープの端部に装飾体を設けるものであるが、装飾体を設けるためにテープ側端部を膨大状の芯部を形成し、膨大状の芯部に装飾体を設けるものであるが、これはテープそのものもの形成し、且つ芯部に装飾体を設けるなど多大の費用が必要となる。
【課題を解決するための手段】
【０００７】この考案は、縫製可能な長手状テープの片側辺にメタリックヤーンからなる鎖状編成紐体を縫着し、前記鎖状編成紐体を端出してなるメタリック鎖紐を端出してなる装飾性テープとする。
【０００８】前記鎖状編成紐体は、鎖網目がリング状に長手状に連続する紐体としたメタリック鎖紐を端出してなる装飾性テープとする。
【０００９】更に、前記の縫製可能な長手状テープは布製テープとしたメタリック鎖紐を端出してなる装飾性テープとするのが望ましい。
【００１０】又、メタリックヤーンからなる鎖状編成紐体は銀色又は、金色としたメタリック鎖紐を端出してなる装飾性テープとするのが使用上望ましい。
【００１１】更にまた、テープは一層であるメタリック糸で編成した鎖紐を端出してなるメタリック鎖紐を端出してなる装飾性テープとすることができる。
【００１２】縫製又は使用上テープは多層メタリック糸で編成した鎖紐を端出してなるメタリック鎖紐を端出してなる装飾性テープとすることもできる。
【考案の効果】
【００１３】この考案は、縫製可能な長手状テープの片側辺にメタリックヤーンからなる鎖状編成紐体を縫着し、前記鎖状編成紐体を端出ししてなるメタリックヤーンで編成した鎖紐を端出してなる装飾性テープとしてあるので、衣類、鞄、袋もの、履物等の縁部に装飾性テープを縫着することで、簡単に鎖状編成紐体の一部を外観から見えるようにアクセサリーとして楽しむことができると共に、このようなアクセサリーを広く使用することができるようになる。
【考案を実施化するための形態】
【００１４】縫製可能な長手状テープの片側縁にメタリックヤーンからなる鎖状編成紐体を縫着し、前記鎖状編成紐体を端出しして構成したメタリック鎖紐を端出してなる装飾性テープとしてある。
【実施例】
【００１５】この考案は図１〜図４において、縫製可能な長手状テープ１は、使用上は布製のテープが最も、一般的且つ汎用性があるが、使用アイテムによっては、皮革製のテープ又は、プラスチック製のテープとすることもできる。【００１６】前記テープは使用の利便性を考慮して、図１のように単層にすること、又は図２、図３のように多層にすることも随時に可能である。但し、強度と使用の利便性からは、多層とするのが望ましい。【００１７】縫製可能な長手状テープ１の片側縁に銀色又は金色のメタリックヤーンからなる鎖状編成紐体２を縫着６し、前記縫製可能な長手状テープ１の片側縁から鎖状編成紐体２を端出しした状態で縫着して装飾性テープ３とする。前記鎖状編成紐体２は、図４に拡大して示すように鎖網目がリング状に長手状に連続する紐体である。但し、このようなメタリックヤーンからなる鎖状編成紐体２は手芸材料として少量ではあるが市販されている。【００１８】更に、上記のような、装飾性テープ３を衣類、鞄、袋もの、履物に長手状テープ１部分を縫着して鎖状編成紐体２を金属色のあるアクセサリーとして使用すれば商品の装飾効果が一挙に高めることができるものである。【００１９】しかも、鎖状編成紐体２をアクセサリーとして使用する場合、衣服、鞄、袋もの、履物等にには装飾性テープの内側のテープ部分が縫製され、製品とし衣服、鞄、袋もの、履物として鎖状編成紐体２が外観に表れるのは端出しされた鎖状編成紐体２の端出部７のみであって、衣服、鞄、袋もの、履物は非金属色である端部に金色又は銀色のようなメタリック系の金属色の鎖状編成紐体の一部が表れるのであるから、その装飾効果は抜群である。【００２０】例えば、図５に示すようなトレーニングウエアーのような衣類製品４の縫製ライン５に縫製時に装飾性テープの金属色の鎖状編成紐体２を端出させればアクセサリとして取り付ければ、製品の地色によっては銀色や金色の鎖状編成紐体２の端出部７が鮮やかな模様となる。
【産業上の利用可能性】
【００２１】これまで、メタリックヤーンからなる鎖状編成紐体は既に存在していたが、個人的に色彩のアクセントに使用されていたが、本考案のように衣服、鞄、袋もの、履物等に使用し安いような構造に提供することによって一部のマニヤによって細々使用されてきた鎖状編成紐体の使用の門戸を広げるような構造としたことによってアクセサリーや、ファッションの分野にメタリックヤーンからなる鎖状編成紐体の参入する道を開いたものである。
特に、通常の布生地、皮革の縫着ラインに沿って金属性のメタリック鎖紐模様が表れるので、このラインは一層顕著に人目に惹くことになる。
【図面の簡単な説明】
【００２２】
【図１】鎖状編成紐体を単層のテープに縫着した状態の装飾性テープの部分拡大正面図
【図２】鎖状編成紐体を縫着したテープの部分拡大裏面図
【図３】鎖状編成紐体を縫着したテープの部分正面図
【図４】鎖状編成紐体の部分拡大図
【図５】縫製ラインに沿って鎖状編成紐体を縫着した状態のトレーニングウエアーの正面図
【符号の説明】１．．．．．．．．長手状テープ
２．．．．．．．．鎖状編成紐体
３．．．．．．．．装飾性テープ
４．．．．．．．．被縫着製品
５．．．．．．．．縫着ライン
６．．．．．．．．縫着
７．．．．．．．．端出部
【図１】
0003159197.tif 000003
【図２】
0003159197.tif 000004
【図３】
0003159197.tif 000005
【図４】
0003159197.tif 000006
【図５】
0003159197.tif 000007